(57)【要約】【課題】本発明は、キーシリンダーのカギ穴に差込み、前後方向へのピストン運動をすることによりキーシリンダーの解錠を容易に行うことができるキーシリンダー解錠具を提供することを目的とするものである。【解決手段】本発明は、その先端側が鍵穴１７に挿入可能な厚さとされ、かつ先端より基端方向中途に向けて開口された開口部５により二股状に形成されるピック部６、６と、その基端側に形成される把持部４とから構成され、ピック部６、６の少なくとも一方の外縁には凹凸形状のカギ山部７を形成すると共に、ピック部６の最大幅がキーシリンダーの鍵穴１７の開口長さよりも大とされた構成とされる。【選択図】図１
2010013923.tif 000002
【特許請求の範囲】
【請求項１】
外筒と内筒とから構成されるキーシリンダーの鍵穴に解除方向へのテンションを付加しながら前記鍵穴に差し入れて解錠するキーシリンダー解錠具おいて、
その先端側が鍵穴に挿入可能な厚さとされ、かつ先端より基端方向中途に向けて開口された開口部により二股状に形成されるピック部と、
その基端側に形成される把持部とから構成され、
前記ピック部の少なくとも一方の外縁には凹凸形状のカギ山を形成すると共に、該ピック部の最大幅が前記キーシリンダーの鍵穴の開口長さよりも大とされた
キーシリンダー解錠具。
【請求項２】
前記ピック部が２枚重ねとされた
請求項１に記載のキーシリンダー解錠具。
【請求項３】
前記カギ山が連続して複数形成された
請求項１または請求項２に記載のキーシリンダー解錠具。
【請求項４】
前記それぞれのピック部の外縁に形成されるカギ山が対称状とされた
請求項１、請求項２または請求項３に記載のキーシリンダー解錠具。
【請求項５】
前記ピック部が鋼板より形成された
請求項１、請求項２、請求項３または請求項４に記載のキーシリンダー解錠具。
【発明の詳細な説明】
【技術分野】
【０００１】
本発明は、キーシリンダー解錠具に関する。詳しくはカギの紛失などの場合に、住宅におけるドア、金庫、ロッカー、あるいは車体等を傷つけることなくキーシリンダーを解錠することができるキーシリンダー解錠具に係るものである。
【背景技術】
【０００２】
従来より、車内にカギを置き忘れた状態でロックする、あるいはロックした後にカギを紛失することなどにより専門業者等を呼んで解錠を依頼することが多々ある。このような専門業者等による現場での解錠では、例えば車の鍵穴に専門の細いピッキング道具等をさしこみ、それらで長時間ピッキングしたり、ドアとガラスの間に棒状、又は板状のものを差し込んで開扉用の連結部を探ったり、又ドアをテコでこじ開けたりして車のドアを開けているのが現状である。
【０００３】
そこで、キーシリンダー解錠としてのピッキング道具として、例えば特許文献１に記載されている。具体的には図１０に示すように、テンション具１０１にキーシリンダー内部用の照明装置１０２を組み込むことにより、キーシリンダー内部１０３の観察を明瞭に出来るようにし、内部拡大用のルーペ１０４を備えたピッキング具１０５と、キーシリンダーピンの形状、及び組合せに対応した交換式ピッキング用先端具１０６を用いることによってキーシリンダーの解錠を行う構成とされている。
【０００４】
このような構成のキーシリンダー解錠具では、テンション具１０１の先端をキーシリンダー内部１０３に差込み、キーシリンダーの解錠方向にテンションを掛けながら、ピッキング具１０５のピッキング用先端具１０６をキーシリンダー内部１０３に差し込み、図１１に示すように、その先端でキーシリンダー内部１０３のキーシリンダーピン１０７を上下に動かし、キーシリンダー内筒１０８とキーシリンダー外筒１０９の隙間に設けられたシアライン１１０に、キーシリンダーピン１０７を順次カギ状に揃えていき、総てのキーシリンダーピンがカギの刻みと同じに揃ったときに解錠となる。
【先行技術文献】
【特許文献】
【０００５】
【特許文献１】特開平２００３−２２１９５２号  公報
【発明の概要】
【発明が解決しようとする課題】
【０００６】
しかしながらテンション具によってキーシリンダーの解錠方向にテンションを掛けながら、ピッキング具の先端によりキーシリンダー内部の上側、下側に設けられるキーシリンダーピンを１個ずつカギ状に揃えるのには高度な技術と非常に手間を生じる問題がある。
【０００７】
本発明は、以上の点に鑑みて創案されたものであって、キーシリンダーのカギ穴に差込み、前後方向へのピストン運動をすることによりキーシリンダーの解錠を容易に行うことができるキーシリンダー解錠具を提供することを目的とするものである。
【課題を解決するための手段】
【０００８】
上記の目的を達成するために、本発明に係るキーシリンダー解錠具は、外筒と内筒とから構成されるキーシリンダーの鍵穴に解除方向へのテンションを付加しながら前記鍵穴に差し入れて解錠するキーシリンダー解錠具おいて、その先端側が鍵穴に挿入可能な厚さとされ、かつ先端より基端方向中途に向けて開口された開口部により二股状に形成されるピック部と、その基端側に形成される把持部とから構成され、前記ピック部の少なくとも一方の外縁には凹凸形状のカギ山部を形成すると共に、該ピック部の最大幅が前記キーシリンダーの鍵穴の開口長さよりも大とされた構成とされる。
【０００９】
ここで、テンション具等をキーシリンダーの鍵穴に差し込んで解錠方向へのテンションを付加しながら内筒の鍵穴内に挿入されたピック部は開口部によるバネ力によって内筒内に配置された複数のピンあるいはディスクを押圧した状態となり、更にピック部を前後方向にピストン運動をすることによりピック部の外縁に形成されるカギ山部によって複数のピンあるいはディスクが上下動すると共に、解錠方向へのテンションによってシアラインが揃うような状態で係止することによって内筒を解錠方向に回転させることが可能となる。
【００１０】
また、ピック部が２枚重ねとされたことにより内筒内に配置された複数のディスクに押圧される形状に応じてピック部のカギ山部が個々に対応することにより複雑な形状のディスクのシアラインを揃えることが可能となる。
【００１１】
また、カギ山が連続して複数形成されると共に、それぞれのピック部の外縁に形成されるカギ山が対称状とされたことにより内筒内に配置された複数のピンあるいはディスクに対して効率的に対応することが可能となる。
【００１２】
また、ピック部が鋼板より形成されたことにより開口部によりピック部幅の縮径が可能となると共に、内筒内に配置された複数のピンあるいはディスクを常時押圧することが可能となる。
【発明の効果】
【００１３】
本発明のキーシリンダー解錠具によれば、住宅におけるドアー、金庫、ロッカーや車のシリンダー錠を、テンション具によってシリンダー錠の鍵穴を解錠方向にテンションを付加した状態で、ピック部を鍵穴に差し入れてピストン運動を繰り返すことによりピック部の外縁に形成されたカギ山が内筒内に配置された複数のピンあるいはディスクを押圧してシアラインが揃うことにより内筒を解錠方向に回転させることで容易に解錠を行うことができる。
【図面の簡単な説明】
【００１４】
【図１】本発明を適用したキーシリンダー解錠具の実施例１における一例を示す説明図である。
【図２】本発明を適用したキーシリンダー解錠具の実施例２における一例を示す説明図である。
【図３】本発明を適用したキーシリンダー解錠具の実施例３における二枚重ねの状態を示す説明図である。
【図４】本発明を適用したキーシリンダー解錠具の実施例３における一例を示す説明図である。
【図５】シリンダー錠の一例におけるピンタンブラー錠の仕組みの概要説明図である。
【図６】シリンダー錠の一例におけるディスクタンブラー錠の仕組みの概要説明図である。
【図７】本発明を適用したキーシリンダー解錠具とテンション具による解錠方法の一例を示す説明図である。
【図８】本発明を適用したキーシリンダー解錠具によるディスクタンブラー錠の解錠工程の一例を示す説明図である。
【図９】本発明を適用したキーシリンダー解錠具によるピンタンブラー錠の解錠工程の一例を示す説明図である。
【図１０】従来のキーシリンダー解錠具の一例を示す説明図である。
【図１１】従来のキーシリンダー解錠具による解錠工程を示す説明図である。
【発明を実施するための形態】
【００１５】
以下、本発明の実施の形態を図面を参酌しながら説明し、本発明の理解に供する。
＜実施例１＞
図１（図１（イ）は、二つ山タイプの説明図であり、図１（ロ）は、三つ山タイプの説明図であり、図１（ハ）は、山がランダムに形成されるタイプの説明図であり、図１（ニ）は、一つ山タイプの説明図であり、図１（ホ）は、一つ山タイプの他の例を示す説明図である。）は、本発明を適用したキーシリンダー解錠具の一例を示す説明図である。
【００１６】
ここで示すキーシリンダー解錠具１は、厚さ０．８〜１．０ｍｍ、幅９．０〜９．５ｍｍ、長さ９０〜９５ｍｍとされた鋼板２をプレス機等によって目的とされる形状に打ち抜き加工する構成とされている。
【００１７】
ここで、鋼板２の基端より約４０ｍｍまでを柄部３とし、この柄部３部分に熱チューブを被せて連結することで合成樹脂材による把持部４が形成される。
【００１８】
また、鋼板２の先端より基端に向けて奥行き約４１．４８ｍｍ長さとされた切欠き開口部５が開口されている。この開口部５は、開口端幅が約３．７１ｍｍ、奥端幅が約１．３９ｍｍの狭窄状とされ、かつ奥端に直径３ｍｍの円弧形状に開口された構成とされている。
【００１９】
そこで図１（イ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁には連続した２つのカギ山部７、７が対称状に形成された構成とされている。
【００２０】
また、図１（ロ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁には連続した３つのカギ山部７、７、７が対称状に形成された構成とされている。
【００２１】
また、図１（ハ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁には連続した３つのカギ山部７、７、７が互いに非対称状となるように形成された構成とされている。
【００２２】
また、図１（ニ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外辺にはカギ山部７が対称状に形成された構成とされている。
【００２３】
また、図１（ホ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外辺にはカギ山部７が互いに非対称状となるように形成された構成とされている。
【００２４】
更に、図１（イ）（ロ）（ハ）（ニ）（ホ）におけるカギ山部７よりピック部６の基端に向けて緩やかな内曲面８が形成された構成とされている。
【００２５】
なお、本実施例では鋼板の寸法を具体的に記載するものであるが、必ずしも記載した寸法とする必要性はなく、キーシリンダーの大きさに応じて各部の寸法を決定するものである。
【００２６】
＜実施例２＞
図２は、本発明を適用したキーシリンダー解錠具の一例を示す説明図である。
ここで示すキーシリンダー解錠具１は、厚さ０．８〜１．０ｍｍ、幅９．０〜９．５ｍｍ、長さ９０〜９５ｍｍとされた鋼板２をプレス機等によって目的とされる形状に打ち抜き加工する構成とされている。
【００２７】
ここで、鋼板２の基端より約４０ｍｍまでを柄部３とし、この柄部３部分に熱チューブを被せて連結することで合成樹脂材による把持部４が形成される。
【００２８】
また、鋼板２の先端より基端に向けて奥行き約４１．４８ｍｍ長さとされた切欠き開口部５が開口されている。この開口部５は、開口端幅が約３．７１ｍｍ、奥端幅が約１．３９ｍｍの狭窄状とされ、かつ奥端に直径３ｍｍの円弧形状に開口された構成とされている。
【００２９】
そこで、開口部５によって鋼板２の先端側が二股状とされたピック部６、６が形成され、このピック部６、６の先端が鍵穴（図示せず。）に差し込みやすいように先鋭形状とされると共に一方のピック部６の外縁には連続した２つのカギ山部７、７が形成された構成とされている。
【００３０】
なお、本実施例では鋼板の寸法を具体的に記載するものであるが、必ずしも記載した寸法とする必要性はなく、キーシリンダーの大きさに応じて各部の寸法を決定するものである。
【００３１】
また、本実施例では方のピック部６の外縁には連続した２つのカギ山部７、７カギ山部を形成したものを詳述するものであるが、必ずしも２つのカギ山部７、７とする必要性はなく、例えば一つのカギ山部、あるいは３つのカギ山部など内筒内に配置されるピン、あるいはディスクの数や形状に応じて形成することが望ましい。
【００３２】
＜実施例３＞
図３は本発明を適用したキーシリンダー解錠具の一例の側面説明図、図４（図４（イ）は、二つ山タイプの説明図であり、図４（ロ）は、三つ山タイプの説明図であり、図４（ハ）は、一つ山タイプの説明図であり、図４（ニ）は、一つ山タイプの他の説明図である。）は、本発明を適用したキーシリンダー解錠具の一例を示す説明図である。
【００３３】
ここで示すキーシリンダー解錠具１は、厚さ０．８〜１．０ｍｍ、幅９．０〜９．５ｍｍ、長さ９０〜９５ｍｍとされた２枚の鋼板２をプレス機等によって目的とされる形状に打ち抜き加工する構成とされている。
【００３４】
ここで、図３に示すように、２枚の鋼板２を重ねた合わせた状態で、その基端より約４０ｍｍまでを柄部３とし、この柄部３部分に熱チューブを被せて連結されることで合成樹脂材による把持部４によって２枚の鋼板２の柄部３が重ねた合わせられた状態で固定されている。
【００３５】
そこで図４（イ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁には連続した２つのカギ山部７、７が対称状に形成された構成とされている。
【００３６】
また、図４（ロ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁には連続した３つのカギ山部７、７、７が対称状に形成された構成とされている。
【００３７】
また、図４（ハ）に示すように、開口部５によって鋼板２の先端側が二股状とされたピック部６、６が形成され、このピック部６、６の先端が鍵穴（図示せず。）に差し込みやすいように先鋭形状とされると共にピック部６、６の外縁にはカギ山部７が非対称状に形成された構成とされている。
【００３８】
また、図４（ニ）に示すように、開口部５によって鋼板２の先端側が二股状とされたピック部６、６が形成され、このピック部６、６の先端が折り曲げられたカギ山部７が非対称状に形成された構成とされている。
【００３９】
なお、本実施例では鋼板の寸法を具体的に記載するものであるが、必ずしも記載した寸法とする必要性はなく、キーシリンダーの大きさに応じて各部の寸法を決定するものである。
【００４０】
次に、シリンダー錠の構造について詳述する。
図５に、シリンダー錠の一例におけるピンタンブラー錠の仕組みの概要説明図、図６に、シリンダー錠の一例におけるディスクタンブラー錠の仕組みの概要説明図である。
【００４１】
図５（図５（イ）は、ピンタンブラー錠の内部構造図であり、図５（ロ）は、カギによるピンタンブラー錠の作用説明図であり、図５（ハ）は、カギによるピンタンブラー錠の解錠状態の説明図である。）に示すように、ピンタンブラー錠１０は、円筒状の内筒１１と外筒１２とから構成され、上ピン１３と下ピン１４からなる係止ピン１５が外筒１２に内臓されるバネ１６によって内筒１１に不規則に差し込まれることにより内筒１１の回転が阻止された機構とされている。
【００４２】
ここで、一側にカギ山が形成されるキー１８を鍵穴１７に差し入れるにつれて係止ピン１５がキー１８のカギ山の形状に従って上下し、全ての係止ピン１５における上ピン１３と下ピン１４との分割位置、即ちシアライン１９が揃うことによりキー１８による内筒１１の回転が可能となる構成とされている。
【００４３】
また、  図６（図６（イ）は、ディスクタンブラー錠の内部構造図であり、図６（ロ）は、カギによるディスクタンブラー錠の作用説明図であり、図６（ハ）は、カギによるディスクタンブラー錠の解錠状態の説明図である。）に示すように、ディスクタンブラー錠２０は、円筒状の内筒１１と外筒１２とから構成され、内筒１１内に配置された複数のディスク２０がバネ１６によって外筒１２の上下方向に不規則に差し込まれることにより内筒１１の回転が阻止された機構とされている。
【００４４】
ここで、両側にカギ山が形成されるキー１８を鍵穴１７に差し入れるにつれてディスク２０がキー１８のカギ山の形状に従って上下し、全てのディスク２０が内筒１１内に収まる、即ちシアライン１９が揃うことによりキー１８による内筒１１の回転が可能となる構成とされている。
【００４５】
ここで、本発明を適用したキーシリンダー解錠具を使用しての図６で示すディスクタンブラー錠のピッキング例を詳述する。
図７に示すように、まずテンション具８の先端部をディスクタンブラー錠２０の鍵穴１７に差し込んでその蓋を開け、内筒１１を解錠方向へのテンションを掛けた状態とする。
【００４６】
次に、図８（図８（イ）は、キーシリンダー解錠具１を差し込む状態を示す説明図であり、図８（ロ）（ハ）は、キーシリンダー解錠具１により解錠状態を示す説明図である。）に示すように、キーシリンダー解錠具１のピック部６、６幅は、鍵穴１７の縦径よりも大き目とされるが、ピック部６、６間の開口部５によって鍵穴１７の縦径に応じて縮径して鍵穴１７内に挿入可能とされる。
【００４７】
ここで、鍵穴１７内に挿入されたピック部６、６は開口部５によるバネ力によって内筒１１内に配置された複数のディスク２０に押圧された状態となり、キーシリンダー解錠具１を前後方向にピストン運動をすることによりピック部６、６の外縁に形成されるカギ山部７によってディスク２０が上下すると共に、解錠方向へのテンションによって全てのディスク２０が内筒１１内に収まる、即ちシアライン１９が揃う状態で係止することによりテンション具８により内筒１１を解錠方向に回転させることが可能となる。
【００４８】
従って、内筒１１内に配置されたディスク２０の数が多い場合にはピック部６、６の外縁に連続して形成されるカギ山部７の数が多い方が同時にディスク２０に対応することができ容易に解錠することが可能となる。
また、ハイセキュリティタイプのハーフディスクタンブラーには、図３および図４に示すようにピック部６が二枚重ねとしたキーシリンダー解錠具１を用いることにより、それぞれのディスク２０の押圧部分の形状に対して２枚重ねのピック部６が個別に対応することができ容易に解錠することが可能となる。
【００４９】
また、本発明を適用したキーシリンダー解錠具を使用しての図６で示すピンタンブラー錠のピッキング例では、まず、図７に示すように、テンション具８の先端部をディスクタンブラー錠２０の鍵穴１７に差し込んでその蓋を開け、内筒１１を解錠方向へのテンションを掛けた状態で、図９（図９（イ）は、キーシリンダー解錠具１を差し込む状態を示す説明図であり、図９（ロ）（ハ）は、キーシリンダー解錠具１により解錠状態を示す説明図である。）に示すように、キーシリンダー解錠具１のピック部６、６を、このピック部６、６間の開口部５によって鍵穴１７の縦径に応じて縮径させて鍵穴１７内に挿入可能とされる。
【００５０】
ここで、鍵穴１７内に挿入されたピック部６、６は開口部５によるバネ力によって内筒１１内に配置された複数のディスク２１に押圧された状態となり、キーシリンダー解錠具１を前後方向にピストン運動をすることにより一方のピック部６の外縁に形成されるカギ山部７によって係止ピン１５が上下すると共に、解錠方向へのテンションによって全ての係止ピン１５における上ピン１３と下ピン１４との分割位置、即ちシアライン１９が揃う状態で係止することによりテンション具８による内筒１１の回転が可能となる。
【００５１】
従って、内筒１１内に配置された係止ピン１５の数が多い場合にはピック部６の外縁に連続して形成されるカギ山部７の数が多い方が同時に係止ピン１５に対応することができ容易に解錠することが可能となる。
【符号の説明】
【００５２】
１      キーシリンダー解錠具
２      鋼板
３      柄部
４      把持部
５      開口部
６      ピック部
７      カギ山部
８      内曲面
１０    ピンタンブラー錠
１１    内筒
１２    外筒
１３    上ピン
１４    下ピン
１５    係止ピン
１６    バネ
１７    鍵穴
１８    キー
１９    シアライン
２０    ディスク
【図１】
2010013923.tif 000003
【図２】
2010013923.tif 000004
【図３】
2010013923.tif 000005
【図４】
2010013923.tif 000006
【図５】
2010013923.tif 000007
【図６】
2010013923.tif 000008
【図７】
2010013923.tif 000009
【図８】
2010013923.tif 000010
【図９】
2010013923.tif 000011
【図１０】
2010013923.tif 000012
【図１１】
2010013923.tif 000013